(57)【要約】【課題】止水対象に凹部があっても、止水時に止水パネルおよび止水対象に確実に接触することができる止水部材を提供すること。【解決手段】構造物の屋外側と屋内側とを連通する開口部を止水する止水パネル２と、止水パネル２を設置する設置面３００と、の間に介在することで止水する第２止水部材４であって、第２止水部材４は、止水パネル２の挿入空間部に挿入され、保持される挿入部４１と、挿入部４１から止水パネル２の外部に突出し、かつ止水時に設置面３００および挿入空間部を形成する部材に接触する突出部４２と、を備え、挿入部４１および突出部４２は、弾性部材であり、突出部４２は、設置面３００と対向する面４２ａに、設置面３００側に突出する挿入突起部４３が形成されている。【選択図】図１０
2020045763.tif 000002
【特許請求の範囲】
【請求項１】
構造物の屋外側と屋内側とを連通する開口部を止水する止水パネルと、前記止水パネルを設置する設置面、あるいは前記開口部を形成する幅方向において離間して設置される一対の枠部材の少なくともいずれかである止水対象と、の間に介在することで止水する止水部材であって、
前記止水部材は、
前記止水パネルの挿入空間部に挿入され、保持される挿入部と、
前記挿入部から前記止水パネルの外部に突出し、かつ止水時に前記止水対象および前記挿入空間部を形成する部材に接触する突出部と、
を備え、
前記挿入部および前記突出部は、弾性部材であり、
前記突出部は、前記止水対象と対向する面に、前記止水対象側に突出する挿入突起部が形成されていることを特徴とする止水部材。
【請求項２】
請求項１に記載の止水部材であって、
前記挿入空間部は、少なくとも前記止水部材の挿入方向と反対方向に延在する互いに離間した一対の壁部材から構成され、
前記一対の壁部材の先端部は、前記挿入空間部側に突出する爪部が形成されており、
前記突出部は、前記止水時に前記一対の爪部のうち、少なくともいずれか一方に接触している止水部材。
【請求項３】
請求項１または２に記載の止水部材であって、
前記挿入部は、前記止水部材の延在方向に延在する貫通孔が形成されている止水部材。
【発明の詳細な説明】
【技術分野】
【０００１】
本発明は、止水部材に関し、開口部を止水する止水パネルに用いられる止水部材に関する。
【背景技術】
【０００２】
従来、豪雨、津波、河川の氾濫などの水害時に、外部である屋外からの氾濫水などの水は、構造物の開口部から内部である構造物内（屋内）に浸入するため、構造物の開口部に止水パネルが設けられている。止水パネルは、例えば、開口部を形成する幅方向において離間して設置される一対の枠部材の間に設置され、止水パネルと一対の枠部材および止水パネルと設置面との間に止水部材としてゴムなどが介在され、開口部の止水を行うものである（特許文献１）。
【先行技術文献】
【特許文献】
【０００３】
【特許文献１】特許第４２６４３００号公報
【発明の概要】
【発明が解決しようとする課題】
【０００４】
ところで、一対の枠部材あるいは設置面の止水対象は、止水部材と対向する面が平坦の場合に限られず、目地や溝などの凹部が形成されたものがある。凹部が形成されている止水対象の場合は、止水部材の止水対象と対向する面が平坦であると、止水対象のうち、平坦な部分に対する密着性は高いが、凹部に対する密着性が低い。止水部材の止水対象に対する密着性の低下は、止水性能の低下となる。
【０００５】
本発明は、上記に鑑みてなされたものであって、止水対象に凹部があっても、止水性能の低下を抑制することができる止水部材を提供することを目的とするものである。
【課題を解決するための手段】
【０００６】
上述した課題を解決し、目的を達成するために、本発明に係る止水部材は、構造物の屋外側と屋内側とを連通する開口部を止水する止水パネルと、前記止水パネルを設置する設置面、あるいは前記開口部を形成する幅方向において離間して設置される一対の枠部材の少なくともいずれかである止水対象と、の間に介在することで止水する止水部材であって、前記止水部材は、前記止水パネルの挿入空間部に挿入され、保持される挿入部と、前記挿入部から前記止水パネルの外部に突出し、かつ止水時に前記止水対象および前記挿入空間部を形成する部材に接触する突出部と、を備え、前記挿入部および前記突出部は、弾性部材であり、前記突出部は、前記止水対象と対向する面に、前記止水対象側に突出する挿入突起部が形成されていることを特徴とする。
【０００７】
この発明によれば、突出部は、止水対象と対向する面に、挿入突起部が形成されているため、止水対象に凹部が形成されていても、凹部に挿入突起部が侵入することで、凹部を挿入突起部により埋めることができ、凹部に対する密着性の低下を抑制して、止水性能の低下を抑制することができる。
【０００８】
また、上記止水部材において、前記挿入空間部は、少なくとも前記止水部材の挿入方向と反対方向に延在する互いに離間した一対の壁部材から構成され、前記一対の壁部材の先端部は、前記挿入空間部側に突出する爪部が形成されており、前記突出部は、前記止水時に前記一対の爪部のうち、少なくともいずれか一方に接触することが好ましい。
【０００９】
この発明によれば、挿入空間部に挿入された挿入部は、挿入方向と反対方向に引っ張られても、爪部に引っ掛かるので、挿入空間部から抜けることが抑制されるので、止水部材の止水パネルに対する保持力をさらに高くすることができる。
【００１０】
また、上記止水部材において、前記挿入部は、前記止水部材の延在方向に延在する貫通孔が形成されていることが好ましい。
【００１１】
この発明によれば、貫通孔に棒状部材を挿入し、止水部材を挿入方向と反対方向に引っ張ることで、挿入部を挿入空間部から取り外すことができるので、止水部材を止水パネルから容易に取り外すことができる。
【発明の効果】
【００１２】
本発明に係る止水部材では、止水部材の止水パネルに対する保持力と、止水性能の両立を図ることができるという効果を奏する。
【図面の簡単な説明】
【００１３】
【図１】図１は、実施形態に係る止水部材を用いた止水装置の概略構成例を示す正面図である。
【図２】図２は、実施形態に係る止水部材を用いた止水装置の一部平面図である。
【図３】図３は、実施形態に係る止水部材を用いた止水装置の一部背面図である。
【図４】図４は、止水パネルのパネル材の断面図である。
【図５】図５は、止水パネルの側面部材の平面図である。
【図６】図６は、実施形態に係る第１止水部材を延在方向から見た図（非挿入状態）である。
【図７】図７は、実施形態に係る第２止水部材を延在方向から見た図（非挿入状態）である。
【図８】図８は、位置決め機構を示す平面図である。
【図９】図９は、実施形態に係る止水部材を用いた止水装置（立位状態）の動作説明図である。
【図１０】図１０は、第２止水部材の設置面に対する接地状態を示す図である。
【図１１】図１１は、実施形態に係る止水部材を用いた止水装置（傾斜状態）の動作説明図である。
【発明を実施するための形態】
【００１４】
以下に、本発明にかかる止水装置の実施形態を図面に基づいて詳細に説明する。なお、この実施形態によりこの発明が限定されるものではない。また、下記の実施形態における構成要素には、当業者が容易に想定できるものあるいは実質的に同一のものが含まれる。
【００１５】
〔実施形態〕
まず、実施形態に係る止水パネルについて説明する。図１は、実施形態に係る止水部材を用いた止水装置の概略構成例を示す正面図である。図２は、実施形態に係る止水部材を用いた止水装置の一部平面図である。図３は、実施形態に係る止水部材を用いた止水装置の一部背面図である。図４は、止水パネルのパネル材の断面図である。図５は、止水パネルの側面部材の平面図である。図６は、実施形態に係る第１止水部材を延在方向から見た図（非挿入状態）である。図７は、実施形態に係る第２止水部材を延在方向から見た図（非挿入状態）である。図８は、位置決め機構を示す平面図である。なお、図４は連結状態のパネル材を幅方向から見た図である。また、図８においては、止水パネル２および第１止水部材３Ｒ，３Ｌを模式的に作図（二点鎖線）している。ここで、各図における「屋内外方向」とは開口部を挟んで屋外側と屋内側とを結ぶ方向であり、「幅方向」とは屋内外方向と直交し、一対の枠部材が離間して設置される方向であり、「上下方向」とは屋内外方向および幅方向と直交する方向である。
【００１６】
本実施形態に係る止水部材である第２止水部材４を用いる止水装置１は、図１に示すように、開口部１００を止水するものであり、止水パネル２と、第１止水部材３Ｒ，３Ｌと、第２止水部材４と、一対の押圧機構５Ｒ，５Ｌと、一対の固定機構６Ｒ，６Ｌと、保持機構７Ｒ，７Ｌと、一対の位置決め機構８Ｒ，８Ｌとを備える。ここで、開口部１００は、構造物の屋内側と屋外側とを連通するものであり、例えば、高い意匠性が要求される店舗の入り口などを構成する。また、構造物は、開口部１００を有していればよく、所定の敷地を囲む屋根のない塀なども含まれる。この場合は、屋内側とは囲いの内側となり、屋外側とは囲いの外側となる。開口部１００は、少なくとも一対の枠部材２００Ｒ，２００Ｌと、設置面３００とにより形成されている。本実施形態における一対の枠部材２００Ｒ，２００Ｌは、幅方向において離間して設置されるものであり、設置面３００から立設されている。枠部材２００Ｒ，２００Ｌは、第１止水部材３Ｒ，３Ｌの突出部３２と対向する面に、凹部が形成されておらず、平坦である。本実施形態における設置面３００は、止水対象である、床や、地面などであり、第２止水部材４の突出部４２と対向する面として、少なくとも１以上、例えば複数の凹部３０１が形成されている（図１０参照）。凹部３０１は、例えば設置面３００がタイル面である場合は目地、排水用の溝などである。本実施形態における開口部１００は、開閉体が設けられていない場合について説明するが、これに限定されるものではなく、例えば、扉、自動扉、シャッターなどの開閉体が存在していてもよい。また、本実施形態における枠部材２００Ｒ，２００Ｌは、例えば、金属製の方立である。
【００１７】
止水パネル２は、設置面３００に接地されるものであり、開口部１００を止水するものである。本実施形態における止水パネル２は、設置面３００のうち、開口部１００の屋外側に配置されることで、屋外側から屋内側に浸入する水を図２に示す形状の止水パネル２においては屋外側の側面２ａで受け止め、堰き止めるものである。止水パネル２は、矩形状に形成されており、幅方向における長さが開口部１００の幅方向における長さよりも長く設定されている。つまり、止水パネル２は、幅方向における両端部が一対の枠部材２００Ｒ，２００Ｌと、屋内外方向においてそれぞれ対向する。止水パネル２は、図１および図４に示すように、上段パネル材２１と、中段パネル材２２と、下段パネル材２３と、一対の側面部材２４Ｒ，２４Ｌと、第１係合部２５と、第２係合部２６と、第３係合部２７と、第４係合部２８と、突起部２９と、収容空間部Ｓと、パネル止水部材Ｇとを備える。本実施形態における止水パネル２は、上段パネル材２１と下段パネル材２３との間に１枚の中段パネル材２２が配置されている場合について説明するが、これに限定されるものではなく、中段パネル材２２を上段パネル材２１と下段パネル材２３との間に複数枚配置してもよい。これにより、止水パネル２は、立位状態における上下方向での高さを調整することができる。止水パネル２の高さは、ユーザーが十分に跨ぐことができる高さに設定されていることが好ましく、例えば、３０ＣＭから６０ＣＭ程度が好ましい。従って、止水装置１が設置状態であっても、開口部１００を使用して、外部と構造物の内部との間を止水パネル２を跨ぐことで、行き来することができる。止水パネル２は、屋外側の側面２ａにおいて受け止めた水の水圧に耐えうる強度を有し、かつ、ユーザーが単独で持ち運びできる程度の重量であることが好ましいため、アルミニウム、アルミニウム合金あるいはステンレスなど、軽量で強度の高い材料で構成されている。
【００１８】
上段パネル材２１は、止水パネル２の上下方向における上方側端部を構成するものである。上段パネル材２１は、上下方向における下方側に、幅方向における中段パネル材２２の両端部まで連続する空間部２１ａが形成されている。空間部２１ａは、下方側が開口して形成されている。空間部２１ａには、上方側端部を構成する部分にビス止め部２１ｂが形成されている。ビス止め部２１ｂは、幅方向における上段パネル材２１の両端部まで延在し、かつ側面部材２４Ｒ，２４Ｌを介して挿入されるビスＢが螺合するものである（ビス止め部２２ｃ，２２ｄ，２３ｄ，２３ｅも同様の構成である）。上段パネル材２１は、下方側、すなわち中段パネル材２２側に、第１係合部２５および第３係合部２７が設けられている。本実施形態における上段パネル材２１は、幅方向から見た場合に、厚み方向（止水パネル２が立位状態において屋内外方向）の両端部を構成する部分、すなわち上段パネル材２１の両側面（止水パネル２の側面２ａ，２ｂ）を構成する部分の下方側端部に第１係合部２５および第３係合部２７がそれぞれ設けられている。
【００１９】
中段パネル材２２は、止水パネル２の上下方向における中央部を構成するものであり、上段パネル材２１の下方側に配置され、上段パネル材２１と上下方向において隣り合うものである。中段パネル材２２は、幅方向における中段パネル材２２の両端部まで連続する内部空間として、第１空間部２２ａと、第２空間部２２ｂとが形成されている。第１空間部２２ａは、上下方向において閉塞されている。第１空間部２２ａは、上方側を構成する部分に下方側に突出してビス止め部２２ｃが形成されている。第２空間部２２ｂは、第１空間部２２ａの下方側に位置し、下方側が開口して形成されている。第２空間部２２ｂは、上方側を構成する部分に下方側に突出してビス止め部２２ｄが形成されている。中段パネル材２２は、上方側、すなわち上段パネル材２１側に、第２係合部２６および第４係合部２８が設けられている。本実施形態における中段パネル材２２は、幅方向から見た場合に、上方側端部を構成する部分において、厚み方向に離間した状態で、上段パネル材２１側に突出して第２係合部２６および第４係合部２８がそれぞれ設けられている。中段パネル材２２は、下方側、すなわち下段パネル材２３側に、第１係合部２５および第３係合部２７が設けられている。本実施形態における中段パネル材２２は、幅方向から見た場合に、厚み方向の両端部を構成する部分、すなわち中段パネル材２２の両側面（止水パネル２の側面２ａ，２ｂ）を構成する部分の下方側端部に第１係合部２５および第３係合部２７がそれぞれ設けられている。
【００２０】
下段パネル材２３は、止水パネル２の上下方向における下方側端部を構成するものであり、中段パネル材２２が上方側に配置され、中段パネル材２２と上下方向において隣り合うものである。下段パネル材２３は、幅方向における中段パネル材２２の両端部まで連続する内部空間として、第１空間部２３ａと、第２空間部２３ｂと、挿入空間部２３ｃとが形成されている。第１空間部２３ａは、上下方向において閉塞されている。第１空間部２３ａは、上方側を構成する部分に下方側に突出したビス止め部２３ｄおよび下方側を構成する部分に上方側に突出したビス止め部２３ｅが形成されている。第２空間部２３ｂは、第１空間部２３ａの下方側に位置し、下方側が開口して形成されている。挿入空間部２３ｃは、第１空間部２３ａの下方側に位置し、下方側が開口して形成されている。挿入空間部２３ｃは、厚み方向において第２空間部２３ｂと隣り合って形成されている。挿入空間部２３ｃは、第１空間部２３ａの下方側を構成する部分である下段パネル材２３の底面部２３ｆと、底面部２３ｆから下方側に突出、すなわち第２止水部材４の挿入方向（上方向）と反対方向に延在する一対の壁部材２３ｇ，２３ｈとにより構成されている。一対の壁部材２３ｇ，２３ｈは、厚み方向において離間して形成されており、下方側端部、すなわち先端部に爪部２３ｉ，２３ｌがそれぞれ形成されている。爪部２３ｉ，２３ｌは、それぞれ挿入空間部２３ｃ側、すなわち厚み方向における内側に突出して形成されている。つまり、挿入空間部２３ｃの開口は、一対の爪部２３ｉ，２３ｌの間に形成されている。
【００２１】
第１係合部２５および第２係合部２６は、厚み方向で対向することで係合し、上下方向において隣り合うパネル材２１〜２３を連結する連結部材である。また、第３係合部２７および第４係合部２８は、厚み方向で対向することで係合し、上下方向において隣り合うパネル材２１〜２３を連結する連結部材である。
【００２２】
突起部２９は、第４係合部２８よりも厚み方向における外側に形成されている。突起部２９は、パネル材２２，２３の上方側端部を構成する部分の厚み方向における第４係合部２８側の端部から、上方側に突出して設けられている。つまり、突起部２９は、パネル材２２，２３の両側面のうち、第４係合部２８側の側面の上方側端部を構成する。突起部２９は、幅方向から見た場合に、上方側端部において厚み方向における内側が面取り、実施形態では円弧に形成されている。これは、後述するパネル材２１〜２３の連結時に、第３係合部２７が突起部２９と接触しても、第３係合部２７を上方側に容易に案内するためである。
【００２３】
収容空間部Ｓは、パネル止水部材Ｇを収容するものであり、第４係合部２８と突起部２９との間に形成されている。収容空間部Ｓは、第４係合部２８と突起部２９との間に開口Ｓ１が形成されている。
【００２４】
パネル止水部材Ｇは、上下方向において隣り合うパネル材２１〜２３の間、すなわち本実施形態では、上段パネル材２１と中段パネル材２２との間、中段パネル材２２と下段パネル材２３との間に介在するものである。パネル止水部材Ｇは、弾性部材であり、弾性変形が大きい軟質ゴム、あるいは発泡ゴムなどである。パネル止水部材Ｇは、収容空間部Ｓに収容された際に、第４係合部２８および突起部２９に接触することで弾性圧縮され、開口Ｓ１から一部が突出するように形成されている。本実施形態におけるパネル止水部材Ｇは、幅方向から見た場合に円形である。また、パネル止水部材Ｇは、幅方向における長さがパネル材２１〜２３の幅方向における長さよりも長く設定されている。例えば、パネル止水部材Ｇは、収容空間部Ｓに収容された状態で、幅方向における両端部がパネル材２１〜２３の幅方向における両端部よりもそれぞれ２ｍｍ程度突出する。
【００２５】
一対の側面部材２４Ｒ，２４Ｌは、図１に示すように、パネル材２１〜２３の幅方向における両端部をそれぞれ閉塞するものであり、連結されたパネル材２１〜２３の幅方向における両端部の上方側端部から下方側端部まで閉塞するものである。側面部材２４Ｒ，２４Ｌは、一方に対して他方が、屋内外方向を基準に線対称であり、図５に示すように、上下方向における側面部材２４Ｒ，２４Ｌの両端部まで連続する空間として、第１空間部２４ａと、挿入空間部２４ｂとが形成されている。第１空間部２４ａは、幅方向における内側に開口が形成され、開口を介して、パネル材２１〜２３の幅方向における端部が挿入されるものである。挿入空間部２４ｂは、第１空間部２４ａの厚み方向における一方側（止水パネル２が立位状態において屋内側）に位置し、一方側が開口して形成されている。本実施形態における挿入空間部２４ｂは、幅方向から見た形状が、上下方向から見た挿入空間部２３ｃと同一形状である。挿入空間部２４ｂは、第１空間部２４ａの厚み方向における一方側を構成する部分である側面部材２４Ｒ，２４Ｌの側面部２４ｊと、側面部２４ｊから一方側に突出、すなわち第１止水部材３Ｒ，３Ｌの挿入方向（止水パネル２が立位状態において屋外方向）と反対方向に延在する一対の壁部材２４ｆ，２４ｇとにより構成されている。一対の壁部材２４ｆ，２４ｇは、幅方向において離間して形成されており、一方側の端部、すなわち先端部に爪部２４ｈ，２４ｉがそれぞれ形成されている。爪部２４ｈ，２４ｉは、それぞれ挿入空間部２４ｂ側、すなわち幅方向における内側に突出して形成されている。つまり、挿入空間部２４ｂの開口は、一対の爪部２４ｈ，２４ｉの間に形成されている。側面部材２４Ｒ，２４Ｌは、幅方向においてパネル材２１〜２３と対向する位置にビス穴２４ｃが形成されている。本実施形態におけるビス穴２４ｃは、パネル材２１〜２３に形成される各ビス止め部２１ｂ，２２ｃ，２２ｄ，２３ｄ，２３ｅとそれぞれ幅方向において対向する位置に複数個形成されている。側面部材２４Ｒ，２４Ｌは、幅方向においてパネル材２１〜２３と対向する側に、側面止水部材２４ｄがそれぞれ形成されている。側面止水部材２４ｄは、弾性部材であり、弾性変形が大きい軟質ゴム、あるいは発泡ゴムなどである。側面止水部材２４ｄは、各ビス止め部２１ｂ，２２ｃ，２２ｄ，２３ｄ，２３ｅと幅方向において対向する位置にそれぞれ貫通穴２４ｅが形成されている。側面止水部材２４ｄは、側面部材２４Ｒ，２４Ｌによりパネル材２１〜２３の幅方向における両端部をそれぞれ閉塞した状態で、パネル材２１〜２３の幅方向における両端面と圧縮状態で接触している。従って、屋外側側面２ａから止水パネル２の内部空間、すなわち各空間部２１ａ，２２ａ，２２ｂ，２３ａに浸入した水である内部浸入水は、パネル材２１〜２３の幅方向における両端面と側面部材２４Ｒ，２４Ｌとの間が側面止水部材２４ｄにより止水されているため、パネル材２１〜２３の幅方向における両端面と側面部材２４Ｒ，２４Ｌとの間から止水パネル２の屋内側に漏れ出すことを防止することができる。さらに、側面止水部材２４ｄは、側面部材２４Ｒ，２４Ｌによりパネル材２１〜２３の幅方向における両端部をそれぞれ閉塞した状態で、パネル止水部材Ｇと側面止水部材２４ｄとが圧縮状態で接触している。従って、内部浸入水は、収容空間部Ｓと側面部材２４Ｒ，２４Ｌとの間が側面止水部材２４ｄおよびパネル止水部材Ｇにより止水されているため、収容空間部Ｓと連通するパネル材２１〜２３の間から止水パネル２の屋内側に漏れ出すことを防止することができる。
【００２６】
一対の第１止水部材３Ｒ，３Ｌは、図１に示すように、枠部材２００Ｒ，２００Ｌと止水パネル２との間にそれぞれ介在することで、止水するものである。第１止水部材３Ｒ，３Ｌは、止水パネル２の屋内側の側面２ｂの幅方向における両端部にそれぞれ設けられている。第１止水部材３Ｒ，３Ｌは、側面部材２４Ｒ，２４Ｌの挿入空間部２４ｂにそれぞれ保持されている。第１止水部材３Ｒ，３Ｌは、同一形状であり、止水パネル２の上下方向における両端部までの長さを有する帯状に形成されている。ここで、第１止水部材３Ｒ，３Ｌは、第１止水部材３Ｒを枠部材２００Ｒと屋内外方向において対向させた際に、第１止水部材３Ｌが枠部材２００Ｌと屋内外方向において対向するように、止水パネル２に対する幅方向の間隔が設定されている。本実施形態における第１止水部材３Ｒ，３Ｌは、枠部材２００Ｒ，２００Ｌの幅方向における幅よりも狭い幅で形成されている。また、第１止水部材３Ｒ，３Ｌは、第１止水部材３Ｒの幅方向における開口部１００側の端部を枠部材２００Ｒの幅方向における開口部１００側の端部と一致させた場合に、第１止水部材３Ｌの幅方向における開口部１００側と反対側の端部が枠部材２００Ｌの幅方向における開口部１００側と反対側の端部と同じまたはこの端部よりも開口部１００側に位置するように、止水パネル２に対して設けられている。なお、第１止水部材３Ｒ，３Ｌは、止水パネル２の上下方向における下方側端部から上方に向かって形成されていればよく、この場合は止水装置１が想定する止水すべき設置面３００からの高さよりも高い位置まで形成されていればよい。第１止水部材３Ｒ，３Ｌは、図５および図６に示すように、挿入部３１と、突出部３２とを備える。
【００２７】
挿入部３１は、挿入空間部２４ｂに挿入され、保持されるものである。挿入部３１は、弾性部材であり、突出部３２を構成する材料の硬度よりも高い硬度の材料で構成されている。挿入部３１は、本体部３１ａと、ストッパー部３１ｂ〜３１ｅとを有する。本体部３１ａは、第１止水部材３Ｒ，３Ｌの延在方向から見た場合に、矩形状に形成されている。ストッパー部３１ｂ〜３１ｅは、挿入部３１が挿入空間部２４ｂに挿入された挿入状態において、本体部３１ａから一対の壁部材２４ｆ，２４ｇ側に向かってそれぞれ形成されている。本実施形態におけるストッパー部３１ｂ〜３１ｅは、挿入状態において、本体部３１ａと一対の壁部材２４ｆとの間に２つストッパー部３１ｂ，３１ｃが位置し、本体部３１ａと一対の壁部材２４ｇとの間に２つストッパー部３１ｄ，３１ｅが位置する。ストッパー部３１ｂ〜３１ｅは、第１止水部材３Ｒ，３Ｌの厚み方向における外側で、かつ、突出部３２側に向かって形成されている。つまり、ストッパー部３１ｂ〜３１ｅは、挿入方向と反対方向に傾斜して形成されている。挿入部３１は、第１止水部材３Ｒ，３Ｌの延在方向に延在する貫通孔３１ｆが形成されている。本実施形態における貫通孔３１ｆは、延在方向から見た場合に、長穴状に形成され、延在方向における両端部まで連通している。
【００２８】
突出部３２は、止水パネル２の外部に突出して形成されるものである。突出部３２は、止水パネル２による開口部１００の止水時に、枠部材２００Ｒ，２００Ｌおよび挿入空間部２４ｂを形成する部材、すなわち一対の壁部材２４ｆ，２４ｇに接触するものである。突出部３２は、弾性部材であり、挿入部３１を構成する材料の硬度よりも低い硬度の材料で構成されている。突出部３２は、延在方向から見た場合に、矩形状に形成されている。突出部３２は、厚み方向における長さが挿入状態において、挿入部３１側の面が爪部２４ｈ，２４ｉと接触できる長さに設定されている。つまり、突出部３２は、止水時に爪部２４ｈ，２４ｉの両方、すなわち一対の壁部材２４ｆ，２４ｇの両方と接触することとなる。突出部３２の枠部材２００Ｒ，２００Ｌと対向する対向面３２ａは、平坦に形成されている。これは、枠部材２００Ｒ，２００Ｌの突出部３２と対向する面が平坦であることから、突出部３２の枠部材２００Ｒ，２００Ｌに対する密着性を向上するためである。
【００２９】
第２止水部材４は、図１に示すように、設置面３００と止水パネル２との間に介在することで、止水するものである。第２止水部材４は、止水パネル２の底面２ｄ、すなわち上下方向における下方側の面に設けられている。本実施形態における第２止水部材４は、下段パネル材２３の挿入空間部２３ｃに保持されている。第２止水部材４は、止水パネル２の幅方向における両端部までの長さを有する帯状に形成されている。第２止水部材４は、幅方向における両端部が第１止水部材３Ｒ，３Ｌとそれぞれ連結されている。例えば、第２止水部材４の幅方向における両端部が止水パネル２の屋内側の側面２ｂに延在しており、側面２ｂにおいて第１止水部材３Ｒ，３Ｌと第２止水部材４とが屋内外方向において重なっている。または、第１止水部材３Ｒ，３Ｌと第２止水部材４との間に、第２止水部材４の幅方向における両端部と、第１止水部材３Ｒ，３Ｌの下方側端部とを連結する連結止水部材を介在させる。本実施形態における第２止水部材４は、第１止水部材３Ｒ，３Ｌと共通の断面形状であるが、これに限定されるものではなく、止水パネル２の自重および押圧機構５Ｒ，５Ｌによる押圧力により変形することを考慮して、外力が作用していない状態で、第１止水部材３Ｒ，３Ｌよりも突出部４２の挿入方向における長さを長く形成するようにしてもよい。第２止水部材４は、図７に示すように、挿入部４１と、突出部４２と、挿入突起部４３とを備える。
【００３０】
挿入部４１は、挿入空間部２３ｃに挿入され、保持されるものである。挿入部４１は、弾性部材であり、突出部４２を構成する材料の硬度よりも高い硬度の材料で構成されている。挿入部４１は、本体部４１ａと、ストッパー部４１ｂ〜４１ｅとを有する。本体部４１ａは、第２止水部材４の延在方向から見た場合に、矩形状に形成されている。ストッパー部４１ｂ〜４１ｅは、挿入部４１が挿入空間部２３ｃに挿入された挿入状態において、本体部４１ａから一対の壁部材２３ｇ，２３ｈ側に向かってそれぞれ形成されている。本実施形態におけるストッパー部４１ｂ〜４１ｅは、挿入状態において、本体部４１ａと一対の壁部材２３ｇとの間に２つストッパー部４１ｂ，４１ｃが位置し、本体部４１ａと一対の壁部材２３ｈとの間に２つストッパー部４１ｄ，４１ｅが位置する。ストッパー部４１ｂから４１ｅは、第２止水部材４の厚み方向における外側で、かつ、突出部４２側に向かって形成されている。つまり、ストッパー部４１ｂから４１ｅは、挿入方向と反対方向に傾斜して形成されている。挿入部４１は、第２止水部材４の延在方向に延在する貫通孔４１ｆが形成されている。本実施形態における貫通孔４１ｆは、延在方向から見た場合に、長穴状に形成され、延在方向における両端部まで連通している。
【００３１】
突出部４２は、止水パネル２の外部に突出して形成されるものである。突出部４２は、止水パネル２による開口部１００の止水時に、止水対象である設置面３００、および挿入空間部２３ｃを形成する部材、すなわち一対の壁部材２３ｇ，２３ｈに接触するものである。突出部４２は、弾性部材であり、挿入部４１を構成する材料の硬度よりも低い硬度の材料で構成されている。突出部４２は、延在方向から見た場合に、矩形状に形成されている。突出部４２は、厚み方向における長さが挿入状態において、挿入部４１側の面が爪部２３ｉ，２３ｌと接触できる長さに設定されている。つまり、突出部４２は、止水時に爪部２３ｉ，２３ｌの両方、すなわち一対の壁部材２３ｇ，２３ｈの両方と接触することとなる。
【００３２】
挿入突起部４３は、止水対象における突出部４２と対向する面が平坦でない場合に、この面への追従性を高めるものである。挿入突起部４３は、突出部４２の止水対象、本実施形態では、設置面３００と対向する面４２ａに、設置面３００側に突出して形成されている。本実施形態に係る挿入突起部４３は、突出部４２の厚み方向における中央部に形成されており、挿入方向の長さ、すなわち高さが設置面３００の凹部３０１の深さを考慮して、例えば数ｍｍ程度に設定されている。挿入突起部４３は、第２止水部材４の延在方向（挿入方向および厚み方向と直交する方向）に延在して形成されており、延在方向における両端部が第２止水部材４の延在方向における両端部まで位置する。
【００３３】
ここで、本実施形態における各止水部材３Ｒ，３Ｌ，４は、ゴム材料により構成されている。つまり、挿入部３１，４１は硬質ゴムであり、突出部３２，４２および挿入突起部４３は軟質ゴム（発泡ゴムを含む）となる。挿入部３１，４１と突出部３２，４２および挿入突起部４３との硬度差は、４５度から６０度が好ましく、４５度から５０度がより好ましい。また、挿入部３１，４１の硬度は、３０度〜６５度が好ましく、４０度〜６５度がより好ましい。また、突出部３２，４２の硬度は、３度〜１０度が好ましく、５度〜１０度がより好ましい。本実施形態における挿入部３１，４１は硬度が６５度のエチレンプロピレンジエンゴム（ＥＰＤＭ）であり、突出部３２，４２および挿入突起部４３は硬度が５度のエチレンプロピレンジエンゴム（ＥＰＤＭ）である。また、挿入部３１，４１と、突出部３２，４２および挿入突起部４３とは、一体で形成されてもよいし、別体で形成されてもよい。一対の場合は、硬度の異なる２種類の材料を用い、例えば、２色成型により製造する。一方、別体の場合は、挿入部３１，４１と、突出部３２，４２および挿入突起部４３をそれぞれ製造し、接着剤、あるいは貼着テープなどで固定する。
【００３４】
止水パネル２は、図１に示すように、下方から上方に向けて、下段パネル材２３、中段パネル材２２、上段パネル材２１の順番となるように、上下方向に隣り合うパネル材２１〜２３を連結し、連結状態のパネル材２１〜２３の幅方向における両端部に一対の側面部材２４Ｒ，２４Ｌを固定することで、組み立てられる。パネル材２１〜２３の連結は、図４に示すように、第１係合部２５および第２係合部２６が係合状態で、かつパネル止水部材Ｇが第３係合部２７および第４係合部２８と接触した状態で、第３係合部２７および第４係合部２８が係合状態となることで行われる。一対の側面部材２４Ｒ，２４Ｌの取り付けは、図５に示すように、ビスＢを側面部材２４Ｒ，２４Ｌのビス穴２４ｃおよび側面止水部材２４ｄの貫通穴２４ｅに挿入し、各ビス止め部２１ｂ，２２ｃ，２２ｄ，２３ｄ，２３ｅにそれぞれ螺合することで行われる。
【００３５】
次に、止水パネル２に各止水部材３Ｒ，３Ｌ，４を取り付ける。ここでは、止水パネル２の挿入空間部２４ｂに第１止水部材３Ｒ，３Ｌを挿入し、挿入空間部２３ｃに第２止水部材４を挿入する。このとき、ストッパー部３１ｂ〜３１ｅ，４１ｂ〜４１ｅは、図４および図５に示すように、厚み方向における内側に弾性変形する。弾性変形したストッパー部３１ｂ〜３１ｅ，４１ｂ〜４１ｅは、挿入方向において爪部２３ｉ，２３ｌ，２４ｈ，２４ｉと対向する。従って、挿入空間部２４ｂ，２３ｃに挿入された挿入部３１，４１は、挿入方向と反対方向に引っ張られても、ストッパー部３１ｂ〜３１ｅ，４１ｂ〜４１ｅが爪部２３ｉ，２３ｌ，２４ｈ，２４ｉに引っ掛かり、挿入空間部部２３ｃ，２４ｂから抜けることが抑制される。これにより、各止水部材３Ｒ，３Ｌ，４の止水パネル２に対する保持力を高くすることができる。
【００３６】
一対の押圧機構５Ｒ，５Ｌは、止水パネル２が傾斜状態から立位状態となることで、止水パネル２を設置面３００に押圧するものである。押圧機構５Ｒ，５Ｌは、図１〜図３に示すように、枠部材２００Ｒ，２００Ｌに固定された固定機構６Ｒ，６Ｌと、止水パネル２との間で幅方向周りに回転自在に支持されるものである。押圧機構５Ｒ，５Ｌは、枠部材２００Ｒ，２００Ｌにそれぞれ対応して設けられ、一方に対して他方が、屋内外方向を基準に線対称である。押圧機構５Ｒ，５Ｌは、支持部材５１と、押圧部材５２と、回転軸５３とを備える。
【００３７】
支持部材５１は、押圧部材５２を幅方向周りに回転自在に支持するものである。支持部材５１は、止水パネル２の屋内側の側面２ｂに取り付けられている。
【００３８】
押圧部材５２は、後述するノブ６５を介して固定機構６Ｒ，６Ｌを幅方向周りに回転自在にそれぞれ支持するものである。本実施形態における押圧部材５２は、屋内外方向から見た場合に、上下方向に延在する板状部材であり、上下方向における下方側端部に支持穴５２ａが形成され、上方側端部にねじ穴５２ｂが形成されている。支持穴５２ａは、幅方向に形成された貫通穴であり、回転軸５３が幅方向周りに回転自在に挿入されるものである。ねじ穴５２ｂは、幅方向に形成された貫通穴であり、ノブ６５の軸部６５ａが螺合する雌ねじが形成されている。ここで、押圧部材５２の上下方向の長さは、止水パネル２が立位状態において、固定機構６Ｒ，６Ｌの後述する接触部材６１が止水パネル２の上面２ｃと非接触となるように設定されている。また、押圧部材５２は、上下方向から見た場合に、幅方向において枠部材２００Ｒ，２００Ｌに固定された固定機構６Ｒ，６Ｌの後述する支持部材６４との間に間隙が形成可能に配置されている。
【００３９】
回転軸５３は、支持部材５１に幅方向に平行に固定され、押圧部材５２を回転軸５３周り、すなわち幅方向周りに支持するものである。つまり、押圧機構５Ｒ，５Ｌは、止水パネル２の屋内側の側面２ｂに対して、幅方向周りに回転自在に支持されることとなる。
【００４０】
一対の固定機構６Ｒ，６Ｌは、枠部材２００Ｒ，２００Ｌに着脱自在にそれぞれ固定されるものであり、一方に対して他方が、屋内外方向を基準に線対称である。本実施形態における固定機構６Ｒ，６Ｌは、止水パネル２に対する幅方向における位置を変化させることで、枠部材２００Ｒ，２００Ｌの幅方向において対向する対向面２０１にそれぞれ接触するとともに、幅方向外側にそれぞれ押圧することで、枠部材２００Ｒ，２００Ｌにそれぞれ固定される。固定機構６Ｒ，６Ｌは、接触部材６１と、第１緩衝部材６２と、第２緩衝部材６３と、支持部材６４と、ノブ６５とを備える。
【００４１】
接触部材６１は、枠部材２００Ｒ，２００Ｌに接触するものである。本実施形態における接触部材６１は、対向面２０１と接触するものであり、屋内外方向における屋外側の端部が幅方向における開口部１００側と反対側に延在しており、枠部材２００Ｒ，２００Ｌの屋外側の屋外側面２０２とも接触する。接触部材６１は、幅方向において枠部材２００Ｒ，２００Ｌをそれぞれ押圧することが可能な強度を有する、例えば、金属製である。
【００４２】
第１緩衝部材６２は、接触部材６１の対向面２０１と対向する部分に設けられ、接触部材６１と対向面２０１との間に介在するものである。また、第２緩衝部材６３は、接触部材６１の屋外側面２０２と対向する部分に設けられ、接触部材６１と屋外側面２０２との間に介在するものである。第１緩衝部材６２および第２緩衝部材６３は、接触部材６１が枠部材２００Ｒ，２００Ｌと直接接触することで、枠部材２００Ｒ，２００Ｌが損傷することを抑制するものである。第１緩衝部材６２および第２緩衝部材６３は、例えば、弾性変形が小さい硬質ゴムなどにより構成されている。
【００４３】
支持部材６４は、接触部材６１の幅方向において対向面２０１側と反対側に取り付けられている。支持部材６４は、屋内外方向から見た場合に、幅方向において接触部材６１側と反対側に向かって突出する凸形状に形成されており、接触部材６１との間で空間部６４ａが形成されている。支持部材６４は、幅方向において接触部材６１側と反対側に、空間部６４ａと連通する挿入穴６４ｂが形成されている。
【００４４】
ノブ６５は、接触部材６１を幅方向周りに回転自在に支持するものである。ノブ６５は、軸部６５ａと、把持部６５ｂとを備える。軸部６５ａは、棒状であり、外周面に雄ねじが形成されている。軸部６５ａの幅方向における両端部のうち、一方の端部、すなわち先端部が支持部材６４に挿入され、他方の端部が把持部６５ｂに固定されている。軸部６５ａは、押圧部材５２のねじ穴５２ｂに、先端部が幅方向における外側、すなわち枠部材２００Ｒ，２００Ｌと対向するように螺合されている。つまり、ノブ６５は、幅方向周りに回転しなければ、押圧部材５２に対する幅方向における位置は変化しない。軸部６５ａは、支持部材６４の空間部６４ａに位置している先端部に抜け止め部材６５ｃが取り付けられている。つまり、ノブ６５は、接触部材６１が幅方向周りに回転自在に支持された状態で、接触部材６１から先端部が抜けることが規制されている。これにより、固定機構６Ｒ，６Ｌは、押圧機構５Ｒ，５Ｌに対して、幅方向周りに回転自在に支持され、枠部材２００Ｒ，２００Ｌに着脱自在にそれぞれ固定される。把持部６５ｂは、軸部６５ａを幅方向周りに回転させるものであり、ユーザーが把持するものである。把持部６５ｂは、軸部６５ａよりも大きな外径で形成されている。なお、把持部６５ｂは、ユーザーによる把持を容易とするために、外周面に凹凸が形成されていてもよい。
【００４５】
保持機構７Ｒ，７Ｌは、止水パネル２の立位状態を保持することで、枠部材２００Ｒ，２００Ｌに対する止水パネル２の位置関係を保持するものであり、一方に対して他方が、屋内外方向を基準に線対称である。本実施形態における保持機構７Ｒ，７Ｌは、押圧機構５Ｒ，５Ｌにそれぞれ対応して一対設けられており、上下方向から見た場合に、止水パネル２と押圧機構５Ｒ，５Ｌとの間の屋内外方向における距離が広がることを規制するものである。保持機構７Ｒ，７Ｌは、支持部材７１と、フック７２と、回転軸７３とを備える。
【００４６】
支持部材７１は、フック７２を幅方向周りに回転自在に支持するものである。支持部材７１は、止水パネル２の上面２ｃに取り付けられている。支持部材７１は、上面２ｃのうち、押圧部材５２の幅方向における両端部のうち枠部材２００Ｒ，２００Ｌ側の端部よりも枠部材２００Ｒ，２００Ｌ側と屋内外方向において対向する位置に取り付けられている。
【００４７】
フック７２は、押圧機構５Ｒ，５Ｌおよび固定機構６Ｒ，６Ｌの少なくとも一方を係止するものである。本実施形態におけるフック７２は、ノブ６５の軸部６５ａを係止するものである。フック７２は、上下方向から見た場合に、屋内外方向に延在する略矩形状部材であり、屋内外方向における一方の端部に支持穴７２ａが形成され、他方の端部、すなわち先端部に係止溝７２ｂが形成されている。支持穴７２ａは、幅方向に形成された貫通穴であり、回転軸７３が幅方向周りに回転自在に挿入されるものである。係止溝７２ｂは、軸部６５ａの一部が挿入されるものであり、止水パネル２が枠部材２００Ｒ，２００Ｌに対して屋内外方向のうち屋外側に相対移動することを規制するものである。
【００４８】
回転軸７３は、支持部材７１に幅方向に平行に固定され、フック７２を回転軸７３周り、すなわち幅方向周りに支持するものである。つまり、フック７２は、止水パネル２の上面２ｃに対して、幅方向周りに回転自在に支持されることとなる。
【００４９】
一対の位置決め機構８Ｒ，８Ｌは、図８に示すように、止水パネル２の屋内側の側面２ｂに設けられ、枠部材２００Ｒ，２００Ｌに対する止水パネル２の幅方向における位置を決めるものである。位置決め機構８Ｒ，８Ｌは、一方に対して他方が、屋内外方向を基準に線対称であり、本体部材８１と、位置決め部材８２と、移動・保持部材８３，８４とを備える。
【００５０】
本体部材８１は、位置決め部材８２を支持するものである。本体部材８１は、止水パネル２の屋内側の側面２ｂに取り付けられている。本実施形態における本体部材８１は、側面２ｂのうち、支持部材５１よりも上下方向における下方側に取り付けられている。本体部材８１は、上下方向から見た場合に、屋内外方向において止水パネル２と対向する部分と、幅方向において枠部材２００Ｒ，２００Ｌと対向する部分とを有し、Ｌ字状に形成されている。本体部材８１は、幅方向において枠部材２００Ｒ，２００Ｌと対向する部分に図示しない挿入穴が形成されている。
【００５１】
位置決め部材８２は、枠部材２００Ｒ，２００Ｌの間に配置、すなわち対向面２０１と幅方向において対向するように配置される。位置決め部材８２は、本体部８２ａと、軸部８２ｂとを備える。本体部８２ａは、枠部材２００Ｒ，２００Ｌと接触する場合があるものであり、円板状に形成されている。本体部８２ａは、例えば、弾性変形が小さい硬質ゴムなどにより構成されている。軸部８２ｂは、棒状であり、外周面に雄ねじが形成されている。軸部８２ｂの幅方向における両端部のうち、一方の端部、すなわち先端部が上記挿入穴に挿入され、他方の端部が本体部８２ａに固定されている。なお、位置決め部材８２は、開口部１００に対して止水パネル２を傾斜状態で配置した際に、幅方向において枠部材２００Ｒ，２００Ｌと対向するように、本体部材８１に対して支持されている。
【００５２】
移動・保持部材８３，８４は、幅方向に図示しない貫通穴が形成されており、図示しない内周面に位置決め部材８２の軸部８２ｂが螺合する雌ねじが形成されている。移動・保持部材８３，８４は、本体部材８１の挿入穴を挟んで幅方向に配置され、螺合する軸部８２ｂを介して位置決め部材８２を止水パネル２に対して幅方向において移動自在とし、かつ止水パネル２に対して幅方向における位置を保持する。
【００５３】
ここで、位置決め機構８Ｒ，８Ｌは、位置決め部材８２の本体部材８１に対する幅方向における位置を変更することで、第１止水部材３Ｒ，３Ｌを枠部材２００Ｒ，２００Ｌと屋内外方向において確実に対向させるものである。具体的には、枠部材２００Ｒに対応する位置決め部材８２については、枠部材２００Ｒに接触した際に、第１止水部材３Ｒの幅方向における開口部１００側と反対側の端部を枠部材２００Ｒの開口部１００側と反対側の端部と同じまたはこの端部よりも開口部１００側に位置させるとともに、第１止水部材３Ｌの幅方向における開口部１００側の端部を枠部材２００Ｌの開口部１００側の端部と同じまたはこの端部よりも開口部１００側と反対側に位置させるように、本体部材８１に対する幅方向における位置を調整する。一方、枠部材２００Ｌに対応する位置決め部材８２については、枠部材２００Ｌに接触した際に、第１止水部材３Ｌの幅方向における開口部１００側と反対側の端部を枠部材２００Ｌの開口部１００側と反対側の端部と同じまたはこの端部よりも開口部１００側に位置させるとともに、第１止水部材３Ｒの幅方向における開口部１００側の端部を枠部材２００Ｒの開口部１００側の端部と同じまたはこの端部よりも開口部１００側と反対側に位置させるように、本体部材８１に対する幅方向における位置を調整する。これにより、止水パネル２を開口部１００に対して傾斜状態で配置する際に、上下方向から見た場合に、位置決め部材８２を枠部材２００Ｒ，２００Ｌとの間に挿入すれば、位置決め部材８２を枠部材２００Ｒ，２００Ｌに接触させても、枠部材２００Ｒ，２００Ｌに対する止水パネル２の幅方向における位置を、第１止水部材３Ｒ，３Ｌが幅方向において枠部材２００Ｒ，２００Ｌからはみ出ることのない位置に位置決めすることができる。従って、第１止水部材３Ｒ，３Ｌを枠部材２００Ｒ，２００Ｌに確実に密接させることができ、ユーザーに正しい止水装置１の設置を促すことができるので、止水装置１の止水性能を維持することができる。
【００５４】
次に、本実施形態に係る止水装置１の設置方法について説明する。図９は、実施形態に係る止水部材を用いた止水装置（立位状態）の動作説明図である。図１０は、第２止水部材の設置面に対する接地状態を示す図である。図１１は、実施形態に係る止水部材を用いた止水装置（傾斜状態）の動作説明図である。なお、図９および図１１においては、止水パネル２、第１止水部材３Ｒ，３Ｌ、第２止水部材４を模式的に作図（二点鎖線）している。ここで、位置決め機構８Ｒ，８Ｌは、止水装置１を設置する前に予め、位置決め部材８２の本体部材８１に対する幅方向における位置が調整されている。また、固定機構６Ｒ，６Ｌは、止水装置１を設置する前に予め、接触部材６１の対向面２０１と接触する部分同士の幅方向における距離が開口部１００の幅よりも狭くなるように、ノブ６５により調整されている。
【００５５】
ユーザーは、豪雨、津波、河川の氾濫などの水害時に、外部である屋外からの氾濫水などの水が建造物の屋内に開口部１００から浸入すると予想される場合に、開口部１００とは異なる場所で保管されている止水装置１を開口部１００の屋外側まで運搬する。次に、ユーザーは、止水パネル２の向きを第１止水部材３Ｒ，３Ｌが屋内外方向において開口部１００と対向する向きとする。
【００５６】
次に、ユーザーは、図１１に示すように、止水パネル２を傾斜状態に配置する。ここで、傾斜状態とは、止水パネル２が設置面３００に接地、すなわち第２止水部材４が設置面３００に接地し、かつ、枠部材２００Ｒ，２００Ｌに対して屋外側に傾斜した状態である。なお、止水パネル２を傾斜状態に配置するときは、第１止水部材３Ｒ，３Ｌの両方の下方側端部が枠部材２００Ｒ，２００Ｌに密接するように、止水パネル２の下方側端部を枠部材２００Ｒ，２００Ｌに押し当てながら設置面３００に置くようにする。このとき、第２止水部材４の挿入突起部４３は、延在方向が設置面３００の凹部３０１の延在方向と交差した状態で設置面３００と対向する。また、上述のように、位置決め機構８Ｒ，８Ｌにより、枠部材２００Ｒ，２００Ｌに対する止水パネル２の幅方向における位置は、第１止水部材３Ｒ，３Ｌが幅方向において枠部材２００Ｒ，２００Ｌからはみ出ることのない位置に位置決めされる。次に、ユーザーは、止水パネル２の傾斜状態を維持したまま、固定機構６Ｒ，６Ｌを枠部材２００Ｒ，２００Ｌに固定する。ここでは、ユーザーは、接触部材６１を対向面２０１に幅方向において対向させた状態で、ノブ６５を一方向に回転させ、押圧部材５２に対して軸部６５ａの先端部を対向面２０１側に移動させ先端部が接触する接触部材６１を対向面２０１に向けて移動させる。ユーザーは、さらにノブ６５を同一方向に回転させ、第１緩衝部材６２を介して接触部材６１を対向面２０１と接触させるとともに、第２緩衝部材６３を介して屋外側面２０２と接触させる。ユーザーは、さらに、ノブ６５を同一方向に回転させ、対向面２０１に接触した接触部材６１により枠部材２００Ｒ，２００Ｌを幅方向においてそれぞれ押圧することで、接触部材６１を枠部材２００Ｒ，２００Ｌに対して突っ張らせることで、接触部材６１を枠部材２００Ｒ，２００Ｌに対して固定する。固定機構６Ｒ，６Ｌが枠部材２００Ｒ，２００Ｌに固定されると、止水パネル２はユーザーにより支持しなくても、傾斜状態を維持する。このとき、止水装置１を幅方向から見た場合に、軸部６５ａと、回転軸５３と、止水パネル２および設置面３００の接地点を結ぶ線がくの字状となる。
【００５７】
次に、ユーザーは、止水パネル２を傾斜状態から立位状態とする。ここで、立位状態とは、幅方向から見た場合に、止水パネル２が枠部材２００Ｒ，２００Ｌに沿った状態をいう。ユーザーは、止水パネル２を屋内側に向けて押す。これにより、止水パネル２の上下方向における上方部分は、固定機構６Ｒ，６Ｌの中心、すなわち軸部６５ａを中心に矢印Ｃ方向に回転する。止水パネル２の上下方向における上方部分の回転中心は、枠部材２００Ｒ，２００Ｌに対する相対移動を行えない軸部６５ａであるため、回転軸５３の軌跡により、枠部材２００Ｒ，２００Ｌに近づきながら、上下方向のうち下方に移動する。従って、第２止水部材４には、下方の押圧力Ｐが作用し、弾性変形する。つまり、第２止水部材４は、止水パネル２が傾斜状態から立位状態となることで、止水パネル２により設置面３００に押圧され、図９に示すように、設置面３００と密接する。
【００５８】
この状態では、突出部３２は、弾性圧縮された状態で、枠部材２００Ｒ，２００Ｌと、爪部２４ｈ，２４ｉとにそれぞれ接触する。また、第１止水部材３Ｒ，３Ｌは、止水パネル２が傾斜状態から立位状態となることで、枠部材２００Ｒ，２００Ｌとそれぞれ密接する。
【００５９】
一方、突出部４２は、弾性圧縮された状態で、設置面３００と、爪部２３ｉ，２３ｌとにそれぞれ接触する。挿入突起部４３は、図１０に示すように、突出部４２とともに弾性圧縮される。このとき、挿入突起部４３のうち各凹部３０１と対向する部分は、各凹部３０１と挿入突起部４３とで形成される凹部空間部ＭＳに侵入し、凸部４３ａを形成する。凸部４３ａは、設置面３００側に突出する形状となるので、凹部空間部ＭＳの大部分を埋めることができる。
【００６０】
次に、ユーザーは、止水パネル２が立位状態で、保持機構７Ｒ，７Ｌのフック７２を回転軸７３周りに一方向に回転させ、係止溝７２ｂにノブ６５の軸部６５ａをそれぞれ挿入させる。ここで、止水パネル２が立位状態において、幅方向から見た場合に、軸部６５ａよりも回転軸５３が屋外側に位置している。従って、止水パネル２は、外力が作用しない場合、立位状態を維持することができず、傾斜状態になろうとする。しかしながら、保持機構７Ｒ，７Ｌにより、止水パネル２の立位状態を保持することで、一対の枠部材２００Ｒ，２００Ｌに対する止水パネル２の位置関係を保持するので、第１止水部材３Ｒ，３Ｌが枠部材２００Ｒ，２００Ｌと密接、および第２止水部材４が設置面３００と密接した状態を維持することができる。これにより、第１止水部材３Ｒ，３Ｌにより枠部材２００Ｒ，２００Ｌと止水パネル２との間を止水し、第２止水部材４により設置面３００と止水パネル２との間を止水する。この状態で、屋外側から開口部１００を介して屋内側に水が浸入しようとすると、止水パネル２により開口部１００から屋内側への水の浸入が防止される。止水パネル２の屋外側の水位が上昇すると、水圧を止水パネル２の側面２ａが受けることになり、水圧が止水パネル２に対して屋内外方向における屋内側に作用する。これにより、第１止水部材３Ｒ，３Ｌによる枠部材２００Ｒ，２００Ｌに対する押圧力Ｐが増加し、第１止水部材３Ｒ，３Ｌと枠部材２００Ｒ，２００Ｌとの密接が高まり、枠部材２００Ｒ，２００Ｌと止水パネル２との間の止水をより確実に行うことができる。
【００６１】
なお、止水装置１を取り外す場合は、保持機構７Ｒ，７Ｌのフック７２を回転軸７３周りに他方向に回転させ、係止溝７２ｂからノブ６５の軸部６５ａをそれぞれ離間させる。次に、ユーザーは、ノブ６５をさらに他方向に回転させ、押圧部材５２に対して軸部６５ａの先端部を開口部１００側に移動させ先端部を接触部材６１から離間させる。これにより、固定機構６Ｒ，６Ｌを枠部材２００Ｒ，２００Ｌから取り外すことができ、止水装置１を枠部材２００Ｒ，２００Ｌから取り外すことができる。
【００６２】
以上のように、本実施形態に係る止水部材４は、突出部４２が設置面３００と接触した状態において、挿入突起部４３により凹部空間部ＭＳの大部分を埋めることができる。突出部４２の設置面３００と対向する面４２ａが平坦の場合は、突出部４２が弾性圧縮されても、対向する面４２ａが平坦のままであるので、凹部３０１と対向する部分が弾性復帰しにくいため、突出部４２のうち、凹部空間部ＭＳに侵入する部分は少ない。一方、弾性圧縮された挿入突起部４３は、対向する面４２ａよりも設置面３００側に位置し、弾性復帰しようとする。従って、弾性圧縮された挿入突起部４３のうち、凹部３０１と対向する部分は、弾性復帰しやすいため、凹部空間部ＭＳに侵入する部分が多い。従って、凹部空間部ＭＳに浸入する水の量は、挿入突起部４３を設けた場合の方が、設けない場合よりも少なくすることができる。従って、突出部４２は、設置面３００と対向する面４２ａに、挿入突起部４３が形成されているため、設置面３００に凹部３０１が形成されていても、凹部３０１に挿入突起部４３が侵入することで、凹部３０１を挿入突起部４３により埋めることができる。これにより、設置面３００の凹部３０１に対する第２止水部材４の密着性の低下を抑制することができ、止水性能の低下を抑制することができる。
【００６３】
また、本実施形態に係る止水部材３Ｒ，３Ｌ，４は、挿入部３１，４１および突出部３２，４２が弾性部材であり、挿入部３１，４１の硬度が突出部３２，４２の硬度よりも高いので、挿入空間部２３ｃ，２４ｂに挿入された状態で、容易に弾性変形することが抑制される。従って、弾性復帰しようとする力が壁部材２３ｇ，２３ｈ，２４ｆ，２４ｇに作用し、挿入部３１，４１が挿入方向および反対方向に移動しにくくなり、挿入空間部２３ｃ，２４ｂから抜けることを抑制することができる。これにより、各止水部材３Ｒ，３Ｌ，４の止水パネル２に対する保持力を高くすることができる。一方、突出部３２，４２は、挿入部３１，４１よりも硬度が低いので、止水時において接触する枠部材２００Ｒ，２００Ｌ、設置面３００および壁部材２３ｇ，２３ｈ，２４ｆ，２４ｇの爪部２３ｉ，２３ｌ，２４ｈ，２４ｉに対する密着性を向上することができる。これにより、枠部材２００Ｒ，２００Ｌと、壁部材２４ｆ，２４ｇの爪部２４ｈ，２４ｉとの間、および設置面３００と、壁部材２３ｇ，２３ｈの爪部２３ｉ，２３ｌとの間から、止水パネル２を介して水が屋外側から屋内側に漏れ出すことを抑制でき、止水性能を高くすることができる。
【００６４】
また、固定機構６Ｒ，６Ｌを枠部材２００Ｒ，２００Ｌに固定した状態で、止水パネル２を傾斜状態で配置し、止水パネル２を傾斜状態から立位状態とすることで、一対の押圧機構５Ｒ，５Ｌにより止水パネル２が設置面３００に押圧され、第２止水部材４を設置面３００に対して確実に密接させることができる。つまり、枠部材２００Ｒ，２００Ｌに対して、止水パネル２を屋外側から接触させる動作で、第２止水部材４を設置面３００に対して確実に密接させることができる。従って、第２止水部材４を設置面３００に密接させるための機構が簡単であり、止水パネル２により設置面３００との止水を確実に行うことができる。
【００６５】
また、止水パネル２から各止水部材３Ｒ，３Ｌ，４を取り外す際に、ユーザーの指により取り外すことは困難である。ここで、ユーザーは、突出部３２，４２を指でつまみながら、各止水部材３Ｒ，３Ｌ，４を挿入方向と反対方向に引っ張ることも考えられるが、突出部３２，４２は止水を行う部分であるので、損傷・破損などをできる限り避けることが望ましい。そこで、挿入部３１，４１に各止水部材３Ｒ，３Ｌ，４の延在方向に延在する貫通孔３１ｆ、４１ｆが形成されていることで、この貫通孔３１ｆ、４１ｆに棒状部材を挿入し、各止水部材３Ｒ，３Ｌ，４を挿入方向と反対方向に引っ張ることができる。従って、挿入部３１，４１を挿入空間部２３ｃ，２４ｂから取り外すことができるので、各止水部材３Ｒ，３Ｌ，４を止水パネル２から容易に取り外すことができる。これにより、各止水部材３Ｒ，３Ｌ，４の交換を容易に行うことができる。
【００６６】
なお、上記実施形態では、突出部３２，４２は、厚み方向における長さが爪部２３ｉ，２３ｌ，２４ｈ，２４ｉの両方に接触できるように設定されているが、止水パネル２および止水対象に接触すれば、止水することができるので、爪部２３ｉ，２３ｌ，２４ｈ，２４ｉのいずれか一方と接触することができる長さであってもよい。
【００６７】
また、上記実施形態では、止水部材３Ｒ，３Ｌ，４を止水パネル２に用いる場合について説明したが、これに限定されるものではない。止水部材３Ｒ，３Ｌ，４は、例えば、止水を目的とした扉や、シャッターなどと、開口部を形成する床、枠部材、壁部材などの止水対象との間に介在させてもよい。これにより、開口部における止水性能を高くすることができるのみならず、煙などが開口部を介して一方の空間から他方の空間に移動することを抑制することができる。
【００６８】
また、上記実施形態では、第２止水部材４に挿入突起部４３を形成し、第１止水部材３Ｒ，３Ｌには設けなかったが、枠部材２００Ｒ，２００Ｌの第１止水部材３Ｒ，３Ｌの突出部３２と対向する面にも凹部が形成されている場合は、第１止水部材３Ｒ，３Ｌに挿入突起部を設けてもよい。また、設置面３００の第２止水部材４の突出部４２と対向する面に凹部３０１が形成されておらず、枠部材２００Ｒ，２００Ｌの第１止水部材３Ｒ，３Ｌの突出部３２と対向する面に、凹部が形成されている場合は、第１止水部材３Ｒ，３Ｌに挿入突起部を設け、第２止水部材４に挿入突起部４３を設けなくてもよい。
【産業上の利用可能性】
【００６９】
以上のように、本発明に係る止水部材は、止水パネルにより開口部を止水する際に有用であり、特に、屋外側から屋内側に向かう水の浸入を抑制するのに適している。
【符号の説明】
【００７０】
１  止水装置
２  止水パネル
２１  上段パネル材
２２  中段パネル材
２３  下段パネル材
２３ｃ  挿入空間部
２３ｇ，２３ｈ  壁部材
２３ｉ，２３ｌ  爪部
２４Ｒ，２４Ｌ  側面部材
２４ｂ  挿入空間部
２４ｆ,２４ｇ  壁部材
２４ｈ，２４ｉ  爪部
３Ｒ，３Ｌ  第１止水部材
３１  挿入部
３２  突出部
４  第２止水部材
４１  挿入部
４２  突出部
４２ａ  対向面
４３  挿入突起部
５Ｒ，５Ｌ  押圧機構
６Ｒ，６Ｌ  固定機構
７Ｒ，７Ｌ  保持機構
１００  開口部
２００Ｒ，２００Ｌ  枠部材
３００  設置面
３０１  凹部
【図１】
2020045763.tif 000003
【図２】
2020045763.tif 000004
【図３】
2020045763.tif 000005
【図４】
2020045763.tif 000006
【図５】
2020045763.tif 000007
【図６】
2020045763.tif 000008
【図７】
2020045763.tif 000009
【図８】
2020045763.tif 000010
【図９】
2020045763.tif 000011
【図１０】
2020045763.tif 000012
【図１１】
2020045763.tif 000013
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
構造物の屋外側と屋内側とを連通する開口部を止水する止水パネルと、前記止水パネルを設置する設置面、あるいは前記開口部を形成する幅方向において離間して設置される一対の枠部材の少なくともいずれかである止水対象と、の間に介在することで止水する止水部材であって、
前記止水部材は、
前記止水パネルの挿入空間部に挿入され、保持される挿入部と、
前記挿入部から前記止水パネルの外部に突出し、かつ止水時に前記止水対象および前記挿入空間部を形成する部材に接触する突出部と、
を備え、
前記挿入部および前記突出部は、弾性部材であり、
前記突出部における前記止水対象と対向する面に、前記止水対象側に突出する挿入突起部が形成され、
前記挿入突起部は、前記止水パネルの厚み方向での前記面の中央部に一つのみ形成されていることを特徴とする止水部材。
【請求項２】
請求項１に記載の止水部材であって、
前記挿入空間部は、少なくとも前記止水部材の挿入方向と反対方向に延在し且つ互いに前記厚み方向に離間した一対の壁部材から構成され、
前記突出部は、前記止水対象から離間した状態で、前記一対の壁部材のそれぞれの先端部に対して前記厚み方向の一方側および前記厚み方向の他方側に突出する、止水部材。
【請求項３】
請求項１または２に記載の止水部材であって、
前記挿入突起部が前記止水対象と接触して弾性圧縮された場合に、前記挿入突起部の一部が凸部となって前記止水対象に設けられた凹部に入る、止水部材。
【手続補正２】
【補正対象書類名】明細書
【補正対象項目名】０００６
【補正方法】変更
【補正の内容】
【０００６】
上述した課題を解決し、目的を達成するために、本発明に係る止水部材は、構造物の屋外側と屋内側とを連通する開口部を止水する止水パネルと、前記止水パネルを設置する設置面、あるいは前記開口部を形成する幅方向において離間して設置される一対の枠部材の少なくともいずれかである止水対象と、の間に介在することで止水する止水部材であって、前記止水部材は、前記止水パネルの挿入空間部に挿入され、保持される挿入部と、前記挿入部から前記止水パネルの外部に突出し、かつ止水時に前記止水対象および前記挿入空間部を形成する部材に接触する突出部と、を備え、前記挿入部および前記突出部は、弾性部材であり、前記突出部における前記止水対象と対向する面に、前記止水対象側に突出する挿入突起部が形成され、前記挿入突起部は、前記止水パネルの厚み方向での前記面の中央部に一つのみ形成されていることを特徴とする。
【手続補正３】
【補正対象書類名】明細書
【補正対象項目名】０００８
【補正方法】変更
【補正の内容】
【０００８】
また、上記止水部材において、例えば、前記挿入空間部は、少なくとも前記止水部材の挿入方向と反対方向に延在し且つ互いに前記厚み方向に離間した一対の壁部材から構成され、前記突出部は、前記止水対象から離間した状態で、前記一対の壁部材のそれぞれの先端部に対して前記厚み方向の一方側および前記厚み方向の他方側に突出する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、上記止水部材において、例えば、前記挿入突起部が前記止水対象と接触して弾性圧縮された場合に、前記挿入突起部の一部が凸部となって前記止水対象に設けられた凹部に入る。
【手続補正６】
【補正対象書類名】明細書
【補正対象項目名】００１１
【補正方法】削除
【補正の内容】
【手続補正７】
【補正対象書類名】明細書
【補正対象項目名】００６９
【補正方法】変更
【補正の内容】
【００６９】
以上のように、本発明に係る止水部材は、止水パネルにより開口部を止水する際に有用であり、特に、屋外側から屋内側に向かう水の浸入を抑制するのに適している。
以下に、実施形態の付記を開示する。
止水部材は、構造物の屋外側と屋内側とを連通する開口部を止水する止水パネルと、前記止水パネルを設置する設置面、あるいは前記開口部を形成する幅方向において離間して設置される一対の枠部材の少なくともいずれかである止水対象と、の間に介在することで止水する止水部材であって、前記止水部材は、前記止水パネルの挿入空間部に挿入され、保持される挿入部と、前記挿入部から前記止水パネルの外部に突出し、かつ止水時に前記止水対象および前記挿入空間部を形成する部材に接触する突出部と、を備え、前記挿入部および前記突出部は、弾性部材であり、前記突出部は、前記止水対象と対向する面に、前記止水対象側に突出する挿入突起部が形成されていることを特徴とする。
上記止水部材によれば、突出部は、止水対象と対向する面に、挿入突起部が形成されているため、止水対象に凹部が形成されていても、凹部に挿入突起部が侵入することで、凹部を挿入突起部により埋めることができ、凹部に対する密着性の低下を抑制して、止水性能の低下を抑制することができる。
また、上記止水部材において、前記挿入空間部は、少なくとも前記止水部材の挿入方向と反対方向に延在する互いに離間した一対の壁部材から構成され、前記一対の壁部材の先
端部は、前記挿入空間部側に突出する爪部が形成されており、前記突出部は、前記止水時に前記一対の爪部のうち、少なくともいずれか一方に接触することが好ましい。
上記止水部材によれば、挿入空間部に挿入された挿入部は、挿入方向と反対方向に引っ張られても、爪部に引っ掛かるので、挿入空間部から抜けることが抑制されるので、止水部材の止水パネルに対する保持力をさらに高くすることができる。
また、上記止水部材において、前記挿入部は、前記止水部材の延在方向に延在する貫通孔が形成されていることが好ましい。
上記止水部材によれば、貫通孔に棒状部材を挿入し、止水部材を挿入方向と反対方向に引っ張ることで、挿入部を挿入空間部から取り外すことができるので、止水部材を止水パネルから容易に取り外すことができる。